(57)【要約】【課題】複数の発光素子６２１…を備えた露光器において、発光素子６２１…の光量変動にダイナミックに対応して適切な光量を得る。【解決手段】複数の発光素子６２１…が収容されるハウジング６３内に発光素子６２１…の光量を検知する光量センサ６２２を設けて、検知した光量に応じて各発光素子６２１…の発光量を制御する。これにより、発光素子６２１…の光量が変動しても適切な光量を得ることができる。【選択図】　　図４
2004042518.tif 000002
【特許請求の範囲】
【請求項１】
複数の発光素子と、
前記複数の発光素子が収容されるハウジングと、
前記ハウジング内に配置され、前記発光素子の光量を検知する光量検知部と、を備えたことを特徴とする露光器。
【請求項２】
前記ハウジング内に配置され、該ハウジング内の環境情報を検知する環境情報検知部を備えたことを特徴とする請求項１記載の露光器。
【請求項３】
請求項１または２に記載の露光器と、
前記光量検知部で検知した光量に基づいた補正を行いながら、前記複数の発光素子の発光量を制御する露光制御手段と、
を備えたことを特徴とする露光装置。
【請求項４】
前記複数の発光素子は、近接する複数個毎に複数のグループに分割され、各グループに属する複数の発光素子は各グループ毎に１つの発光素子デバイス上に作り込まれ、
前記光量検知部は、各発光素子デバイス毎に設けられ、少なくとも各発光素子デバイス毎に光量を検知可能に構成され、
前記露光制御手段は、隣接する前記発光素子デバイス間の光量の差をなくすように補正を行うように構成されたことを特徴とする請求項３記載の露光装置。
【請求項５】
請求項３または４に記載の露光装置を備えたことを特徴とする画像形成装置。
【発明の詳細な説明】
【０００１】
【発明の属する技術分野】
本発明は、複写機やプリンタ等の電子写真プロセスを利用する画像形成装置に用いられる露光器、露光装置およびそれを備えた画像形成装置に関し、特に光源たる発光素子の光量補正技術にかかるものである。
【０００２】
【従来の技術】
複写機やプリンタ等の電子写真プロセスを利用する画像形成装置の露光器として、多数のＬＥＤ素子等の発光素子を用いた、たとえばＬＥＤアレイプリントヘッドが知られている。
【０００３】
このＬＥＤアレイプリントヘッドのような多数の発光素子を用いた露光器は、一般に約５０００〜７０００個以上の発光素子を主走査方向に配列して構成されており、形成すべき画像情報に応じて各発光素子を発光させることにより、感光体上に静電潜像を形成するようになっている。
【０００４】
このようなＬＥＤ素子等の発光素子等は、発光量に個体差があるため、露光器を画像形成装置に組み込む前に各発光素子の発光量を予め測定して、その測定結果に基づく補正値を光量補正用ＲＯＭに記憶保持させておき、画像形成時（露光時）には、この補正値を用いて各発光素子の発光量を制御する方法が提案されている（特開１９９７−３１４８９７号公報等）。
【０００５】
【発明が解決しようとする課題】
しかしながら、このＬＥＤアレイプリントヘッドのような多数の発光素子を用いた露光器は、画像形成装置内で駆動されることで機内温度やデバイス温度が上昇して発光素子の光量が低下する場合があるが、光量の変動に応じた補正ができず、所望の光量が得られなくなるという問題がある。
【０００６】
なお、レーザーダイオードから発した光をポリゴンミラーで走査するレーザープリンタヘッドのような露光器では、ポリゴンミラーからの反射光が入射する走査域のうち、露光に用いられる有効走査域の外側に光量検出フォトダイオードを設け、これによってレーザーダイオードの発光量をリアルタイムに検出してフィードバック補正する技術が一般に利用されている。ところがＬＥＤアレイプリントヘッドのような露光器は主走査方向に多数の発光素子を並べた構造を有しているため、このような技術を適用することができない。
【０００７】
本発明は上記課題に鑑みてなされたものであり、発光素子の光量変動にダイナミックに対応して適切な光量を得ることができる露光器、露光装置、およびこれを用いた画像形成装置を提供することを目的とする。
【０００８】
【課題を解決するための手段】
上記目的を達成するため、本発明にかかる露光器は、複数の発光素子と、前記複数の発光素子が収容されるハウジングと、前記ハウジング内に配置され、前記発光素子の光量を検知する光量検知部と、を備えたことを特徴とするものである。
【０００９】
このような露光器によると、発光素子の光量はハウジング内で光量検知部によって検知されるため、検知した光量に応じて各発光素子の発光量を制御することができ、これにより、発光素子の光量が変動してもこれに対応して適切な光量を得ることができる。
【００１０】
また、このような露光器においては、前記ハウジング内に配置され、該ハウジング内の環境情報を検知する環境情報検知部を備えることが望ましい。
【００１１】
このようにすると、各発光素子の発光量変動の要因となる環境情報が環境検知部によって検知されるため、検知した環境情報も加味して各発光素子の発光量を制御することができ、これにより、発光素子の光量が変動してもこれに対応して適切な光量を得ることができる。
【００１２】
なお、環境情報としては、発光素子の周囲温度、周囲湿度、あるいは発光素子が作り込まれた発光素子デバイス自体の温度等の１あるいは複数を採用することができる。特に、環境情報としては、発光量に影響の大きい発光素子デバイス自体の温度を含むことが望ましい。
【００１３】
また、本発明にかかる露光装置は、上述した露光器と、前記光量検知部で検知した光量に基づいた補正を行いながら、前記複数の発光素子の発光量を制御する露光制御手段と、を備えたことを特徴とするものである。
【００１４】
このような露光装置によると、光量検知部によって検知した光量に応じて、露光制御手段により各発光素子の発光量が制御されるため、発光素子の光量が変動してもこれに対応した補正により適切な光量を得ることができる。
【００１５】
また、このような露光装置においては、前記複数の発光素子は、近接する複数個毎に複数のグループに分割され、各グループに属する複数の発光素子は各グループ毎に１つの発光素子デバイス上に作り込まれ、前記光量検知部は、各発光素子デバイス毎に設けられ、少なくとも各発光素子デバイス毎に光量を検知可能に構成され、前記露光制御手段は、隣接する前記発光素子デバイス間の光量の差をなくすように補正を行うように構成されることが望ましい。
【００１６】
このようにすると、隣接する発光素子デバイス間の光量の差をなくすように光量補正がなされるため、発光素子が並ぶ主走査方向についての光量分布を平滑化することができる。
【００１７】
また、本発明にかかる画像形成装置は、上述した露光装置を備えたことを特徴とするものである。
【００１８】
このような画像形成装置によると、光量検知部によって検知した光量に応じて、発光量制御手段により各発光素子の発光量が制御されるため、発光素子の光量が変動してもこれに対応して適切な光量を得ることができ、適正な画像形成を行うことができる。
【００１９】
【発明の実施の形態】
図１は、本発明にかかる画像形成装置の構成概略図である。
【００２０】
この画像形成装置１は、プリンタおよび複写機等の機能を有するフルカラータンデム型の複合機であり、記録紙等が収容される給紙部２、Ｃ（シアン），Ｍ（マゼンタ），Ｙ（イエロー），Ｋ（ブラック）の４色ごとの画像形成部３…、画像形成後の記録紙等が排出される排紙部４，原稿の画像情報を読み取る画像読取部５、装置各部の動作を制御する制御基板７を有している。
【００２１】
各色の画像形成部３…は、それぞれ感光体ドラム３１…を有している。各感光体ドラム３１の周囲には、各感光体ドラム３１…を所定電位に帯電させる帯電器３２…、画像情報に応じて感光体ドラム３１を露光して静電潜像を形成する露光器４１…、感光体ドラム３１上の静電潜像を各色のトナーで現像する現像器３４…が配置されている。各感光体ドラム３１…上に形成された各色のトナー像は、中間転写体として機能する転写ベルト３５上に一旦転写されて、４色のトナー像が重ねられる。転写ベルト上で重ねられた各色のトナー像は、給紙部２から給送される記録紙上に転写される。記録紙に転写されたトナー像は定着器３７によって定着され、トナー像が定着された記録紙は排紙部４に排出される。
【００２２】
なお、制御基板７には、各色毎の露光器４１…を制御する露光制御部６６が機能的に作り込まれており、この露光制御部６６と各色毎の露光器４１…とによりこの画像形成装置１における露光装置６が構成されている。
【００２３】
図２は、本発明の一実施形態にかかる露光器の内部構造を示す平面図、図３は、同じく正面断面図、図４は、同じく一部切り欠き斜視説明図である。
【００２４】
図３等に示すように、この露光器６１は、感光体ドラム３１との対向位置に配置されている。この露光機６１は、不透明の合成樹脂等によって形成されたハウジング６３によってその内部が略密閉されている。このハウジング６３内には、長手方向（画像形成装置１における主走査方向）に並べて多数の発光素子デバイス６２…が配置されている。
【００２５】
発光素子デバイス６２…は、それぞれ半導体チップから構成されている。各発光素子デバイス６２には、それぞれ複数（この例では５個）の発光素子６２１…が略等間隔に配列されるように一体的に作り込まれている。発光素子６２１…は、たとえばＬＥＤ素子等の固体発光素子からなる。なお、各発光素子デバイス６２…上に形成される発光素子６２１…の数は特に制限されるものではない。ここでは図示の便宜のため５つとしたが一般には約１００〜３００個程度であり、求められる集積度や製造コストから適宜設定すればよい。
【００２６】
また、各発光素子デバイス６２には、発光素子６２１…の発光量を検知する光量センサ（光量検知部）６２２も一体的に作り込まれている。この光量センサ６２２は、発光素子６２１…と同一平面上に形成されているため、各発光素子６２１…からの直接光は受光できないが、ハウジング６３内での散乱光を受光できるようになっている。そして、この光量センサ６２２は、ハウジング６３内が略密閉されているため、外部からの漏光の影響を受けることなく、各発光素子６２１…から発せられ、ハウジング６３内で散乱した散乱光のみを受光するようになっている。
【００２７】
このように発光素子６２１…の光量を検出するのは、一般にＬＥＤ素子等の発光素子は駆動されることで徐々に光量が低下する性質を有しているので、この光量低下に対応した適正な補正を行うためである。
【００２８】
また、各発光素子デバイス６２には、環境情報を検知する環境情報検知部として、デバイス６２自体の温度を検知する温度センサ６２３も一体的に作り込まれている。
【００２９】
このような環境情報を検出するのは、一般にＬＥＤ素子等の発光素子は温度や湿度等の環境条件に応じて光量が変化する性質、とくに温度が上がると光量が低下する性質を有しているので、この光量変化に対応した適正な補正を行うためである。
【００３０】
また、この露光器６１のハウジング６３は、感光体ドラム３１との対向面が開口しており、ここに各発光素子６２１…が発する光を感光体ドラム３１に導くセルフォックレンズ６４が設けられている。
【００３１】
また、ハウジング６３内で各発光素子デバイス６２…の間には遮光体６５が立設されており、各発光素子デバイス６２上の発光素子６２１…から発せられた光が、他の発光素子デバイス６２上の光量センサ６２２に検出されないようになっている。
【００３２】
図５は、このような露光器６１を備えた露光装置６の構成を示す機能ブロック図である。
【００３３】
この図に示すように、この露光装置６は、各色毎に設けられた４つの露光器６１と、この露光器６１…の露光動作を制御する露光制御部（露光制御手段）６６とを備えている。
【００３４】
各露光器６１は、上述したようにそれぞれ多数の発光素子デバイス６２…を有しており、各発光素子デバイス６２は、多数の発光素子６２１…と、光量センサ６２２および温度センサ６２３とを有している。
【００３５】
一方、露光制御部６６は、画像データ入力部６６１と、画像データ処理部６６２と、発光素子駆動部６６３と、駆動履歴検出記憶部６６４と、補正量設定処理部６６５と、変動補正量記憶部６６６と、初期補正量記憶部６６７とを備えている。
【００３６】
画像データ入力部６６１は、この画像形成装置１において画像形成すべき画像情報がデジタル画像データとして入力されるものである。このデジタル画像データの出所は、たとえば画像形成装置１が複写機として機能する場合には画像読取部５、プリンタとして機能する場合には、プリンタケーブル等で接続された外部のパーソナルコンピュータ等となる。
【００３７】
画像データ処理部６６２は、入力されたデジタル画像データに対して、圧縮符号化処理、スキュー補正処理、階調再現処理等を施すとともに、変動補正量記憶部６６６に記憶されている各発光素子デバイス６２…毎の変動補正量と、初期補正量記憶部６６７に記憶されている各発光素子６２１…ごとの初期補正量とに基づいて、各発光素子６２１…の発光駆動するための発光制御量（動作電流量）を設定する。
【００３８】
発光素子駆動部６６３は、前記発行制御量に基づいて各発光素子６２１…を発光駆動するものである。
【００３９】
駆動履歴検出記憶部６６４は、各発光素子デバイス６２…の駆動履歴情報を、前記発光素子駆動部６６３から発せられる制御信号によって検出し、記憶しておくものである。駆動履歴情報とは、具体的には、各発光素子デバイス６２…に属する発光素子６２１…の画像形成装置１起動後の平均発光回数または平均発光時間を挙げることができる。この駆動履歴情報は、発光素子デバイス６２…ごとに記憶される。このような駆動履歴情報を記憶しておくのは、一般にＬＥＤ素子等の発光素子は駆動されることで徐々に光量が低下する性質を有しているので、この光量低下に対応した適正な補正を行うためである。この駆動履歴検出記憶部６４は、カウンター回路やタイマー回路などの単純な回路によって構成できる。
【００４０】
補正量設定処理部６６５は、変動補正量を求める補正量設定処理を行うものである。変動補正量とは、発光素子６２１…が発光駆動されることに伴ってダイナミックな経時的光量変化を起こすことに対応するための補正量である。この変動補正量は、各発光素子デバイス６２…毎に設定される。この変動補正量は、発光素子駆動部６６３を介して各発光素子デバイス６２…の１または複数の発光素子６２１…を発光駆動し、このとき光量センサ６２２によって検出される光量と、温度センサ６２３によって検出される各発光素子デバイス６２…の温度と、駆動履歴検出記憶部６６４によって記憶されている発光素子６２１…の駆動履歴情報とに基づいて設定される。具体的には、主に光量センサ６２２による光量に応じて変動補正量を設定しながら、適宜、温度と駆動履歴を補助的に参酌して設定される。
【００４１】
変動補正量記憶部６６６は、前記補正量設定処理部６６５によって設定される変動補正量を記憶するものである。上述したように、変動補正量は、発光素子デバイス６２…毎に設定される。
【００４２】
初期補正量記憶部６６７は、各発光素子６２１…の発光量の個体差（ばらつき）を吸収するための初期補正量を記憶しておくものである。この初期補正量は、たとえば、露光器６１を画像形成装置１に組み込む前に各発光素子６２１…の発光量を予め測定して、この測定結果に基づいて設定しておけばよい。この初期補正量は、各発光素子６２１…毎の個体差を吸収するためのものであるから、各発光素子６２１毎に設定されている。
【００４３】
なお、露光制御部６６の上記各部６６１〜６６６は、リアルタイムで高速処理を行う上ではアナログハードウェア回路で構成することが望ましいが、それぞれの機能が実現され、各処理に支障がない速度が確保されるならソフトウェア演算やデジタルハードウェア回路で構成してもよい。
【００４４】
つぎに、変動補正量を求める補正量設定処理について説明する。
【００４５】
補正量設定処理は、たとえば、通常の画像形成動作の合間に行われる。
【００４６】
この補正量設定処理では、まず、補正量設定処理部６６５が、各発光素子デバイス６２…毎に発光素子６２１…を発光させ、光量センサ６２２により光量を検出するが、この光量検出としては、具体的に以下の方法が挙げられる。
【００４７】
▲１▼各発光素子デバイス６２…毎に１または複数の発光素子６２１…を代表発光素子として設定しておき、この代表発光素子だけを発光させて光量（入力に対して実際の発光量）を検出する。この光量をもって各発光素子デバイス６２…の状態を示す光量とする。
【００４８】
▲２▼各発光素子デバイス６２…上の発光素子６２１…を１つずつ順次発光させて、各発光素子６２１…ごとの光量を順次検出し、これを平均するなどにより、各発光素子デバイス６２…の状態を示す光量とする。この場合、各発光素子６２１…と光量センサ６２２との位置関係によって異なる入射角度と光量の関係（受光効率）を予め求めておけば、各発光素子６２１…の光量を適正に検出することができる。
【００４９】
▲３▼発光素子デバイス６２…上のすべての発光素子６２１…を同時に発光させて全体光量を検出し、これを各発光素子デバイス６２…の状態を示す光量とする。
【００５０】
こうして各発光素子デバイス６２…の光量が求められれば、これに基づいて各発光素子デバイス６２…の変動補正量を求める。
【００５１】
具体的には、補正量設定処理の他の例として、平滑化補正処理について、図６に示す処理フローを参照しながら説明する。
【００５２】
この平滑化補正とは、各発光素子デバイス６２…の光量を平滑化し、隣接する発光素子デバイス間での光量差を軽減あるいは解消する補正方法である。
【００５３】
この平滑化補正による補正量設定処理では、上記のいずれかの方法によって、すべての発光素子デバイス６２…について光量を検出する（ステップＳ１）。
【００５４】
つづいて、ある発光素子デバイス６２を着目デバイスとして設定する（ステップＳ２）。
【００５５】
そして、この着目デバイスの代表発光素子の平均光量と、この着目デバイスに隣接する発光素子デバイス６２の代表発光素子の平均光量とを比較し、着目デバイスの平均光量の方が隣接する発光素子デバイスの平均光量よりも、所定のしきい値を越えて明るすぎる場合（ステップＳ３でＹＥＳ）、この着目デバイスの発光量が低下するように、この着目デバイスについての変動補正量を修正設定する（ステップＳ４）。そうでなければ（ステップＳ３でＮＯ）、ステップＳ４はスキップして着目デバイスの変動補正量は変化させない。
【００５６】
このような処理をすべての発光素子デバイス６２…を着目デバイスとして検討するまで繰り返し（ステップＳ５でＮＯ）、すべての発光素子デバイス６２…の検討が完了すれば（ステップＳ５でＹＥＳ）この平滑化処理を終了する。
【００５７】
なお、変動補正量の修正においては、適宜、各発光素子デバイス６２の温度と駆動履歴を補助的に参酌して設定される。
【００５８】
このような平滑化補正によれば、すべての発光素子デバイス６２…について隣接するデバイスとの光量差が所定のしきい値範囲内に抑えられるため、平滑化される。これにより、露光器の主走査方向における光量のばらつきに起因する、すじむらを抑制または低減でき、印字濃度むらのない鮮明な画像を形成することができる。
【００５９】
また、着目デバイスと隣接するデバイスとの光量差をなくすにあたり、着目デバイスの光量を低下させる変動補正量の修正しか行っておらず、着目デバイスと隣接するデバイスの、光量の小さい側に合わせるように変動補正量の修正を行うため、発光素子デバイスの駆動による光量低下に逆らわないで効率的に光量差を低減することができる。すなわち、光量の大きい側に合わせようとすれば、光量の小さい側の発光素子デバイスにより大きな電流を与えることが必要となるが、これによって発光素子デバイスの温度が上がってさらに光量低下を招き、低下した光量を補うためさらに大きな電流が必要になるという悪循環が生じてしまうが、このような悪循環を未然に防止することができる。
【００６０】
また、変動補正量を発光素子デバイス毎に設定しているので、発光素子６２１…毎に設定する場合と比較して設定すべき補正量が少なく、効率的に補正を行うことができる。これにより、高速で短時間に補正を行うことができる。また、この場合、１つの発光素子デバイス６２…上の複数の発光素子６２１…は曝されている条件が近似するため、同じ変動補正量が設定されもほぼ適切な補正量となる。
【００６１】
以上、本発明を一実施形態に基づいて説明したが、本発明は上記に限定されるものでなく、以下のように構成してもよい。
【００６２】
（１）上記実施形態では、カラー画像を形成できる画像形成装置を例としたが、モノクロの画像形成装置であってもよい。また、複合機でなくても、複写機、プリンタ、あるいはファクシミリ装置等の単能機でもよい。
【００６３】
（２）発光素子はＬＥＤ素子ではなく、他の種類であってもよい。
【００６４】
（３）上記実施形態では、発光素子デバイス６２…および発光素子６２１…を一列に並べて配置したが、複数の発光素子が全体として主走査域の全体をカバーしていれば、副走査方向にずらして複数列に配列してもよい。また、図７に示す発光素子デバイス６２の他の例のように、複数の発光素子６２１…を千鳥状に配置してもよい。
【００６５】
（４）上記実施形態では、光量センサ（光量検知部）６２２を発光素子デバイス６２上に作り込んだ構成としたが、光量センサ６２２は、ハウジング６３内に設ければ、必ずしも発光素子デバイス６２上に作り込まなくともよい。このようにしても、外乱光の影響を受けることなく発光素子６２１…の光量を検知して、ダイナミックな光量変化に対応することができる。
【００６６】
（５）上記実施形態においては、すべての発光素子デバイス６２…に光量センサ（光量検知部）６２２を設けたが、光量センサ６２２は、各露光器６１のハウジング６３内に少なくとも１つ設ければよい。このようにしても、各露光器６１における発光素子６２１…の光量を検知して、ダイナミックな光量変化に対応することができる。
【００６７】
ただし、光量センサ（光量検知部）６２２は、露光器６１の主走査方向について、複数設けることが望ましい。このようにすると、主走査方向についての発光むら（光量分布むら）を検出して、これを軽減する補正を行うことができる。
【００６８】
（６）上記実施形態では、各発光素子デバイス６２…に１つの光量センサ（光量検知部）６２２を設けたが、１つの発光素子デバイスに２以上の光量センサ６２２を設けてもよい。このようにすると、より正確に各発光素子６２１…の光量を検知することができる。一方、光量センサの数は、発光素子より少ない方が望ましい。発光素子と光量センサが１対１に対応するように同数の光量センサを設けると、露光器が大型化、高コスト化を招いてしまうからである。
【００６９】
（７）上記実施形態では、光量センサ（光量検知部）６２２を発光素子６２１…と同一平面上に配置して散乱光を検出するようにしたが、発光素子６２１…からの直接入射光を検出するように配置してもよい。
【００７０】
（８）上記実施形態では、光量センサ（光量検知部）６２２は、発光素子デバイス６２上のすべての発光素子６２１…からの光を受光できるように配置したが、代表発光素子のみの光量検知するのであれば、代表発光素子からの光しか受光できない位置に設けてもよい。
【００７１】
（９）上記実施形態においては、環境情報検知部として発光素子デバイス６２自体の温度を検出する温度センサ６２３を備えたが、発光素子デバイス６２の周囲温度や周囲湿度を検出するセンサ等を採用してもよい。
【００７２】
（１０）上記実施形態では、各発光素子デバイス６２…に１つの温度センサ６２３を設けたが、複数の温度センサを設けて、デバイス６２における温度分布を検出できるようにしてもよい。
【００７３】
（１１）駆動履歴検出記憶部６６４が検出し、記憶する駆動履歴情報は、発光素子６２１…単位でも、発光デバイス６２…単位でもよい。発光素子デバイス６２…単位とする場合、各発光素子デバイス６２…に属する発光素子６２１…の累積発光回数、平均発光回数、累積発光時間、あるいは平均発光時間等を駆動履歴情報とできる。また、発光素子デバイス６２…上に１または複数の代表発光素子を設定し、その発光回数や発光時間を当該発光素子デバイスの発光履歴情報としてもよい。また、発光回数と発光強度との積を駆動履歴情報としてもよい。
【００７４】
（１２）上記実施形態では、通常の画像形成処理の合間に、補正量設定処理を行うようにしたが、通常の画像形成処理中に各発光素子６２１…の光量を光量センサ６２２で随時検出し、各発光素子６２１…に与えられた発光制御量と検出した光量（実際の光量）とをリアルタイムに比較するようにフィードバックして光量誤差を補正するようにしてもよい。
【００７５】
（１３）上記実施形態では、主として光量に基づいて変動補正量を設定したが、環境情報検出部（温度センサ）によって検出される環境情報（各発光素子デバイスの温度）や、駆動履歴検出記憶部による各発光素子デバイスの駆動履歴情報に基づいて、予測される各発光素子デバイスの状態に応じた変動補正量を設定し、光量センサが検出する光量を補助的に用いるようにしてもよい。この場合、環境情報や駆動履歴情報により、発光素子デバイスが定常状態に落ち着いていることが認められば、変動補正量として、予め設定された所定の補正量（オフセット量）を採用するようにしてもよい。
【００７６】
（１４）上記実施形態においては、各発光素子デバイス６２…に環境情報検知部として温度センサ６２３を設けたが、温度センサ６２３はなくてもよい。また、駆動履歴検出記憶部もなくともよい。
【００７７】
（１５）上記実施形態では、変動補正量を平滑化処理によって設定したが、最も光量が少ない発光素子デバイス６２…を探索し、この発光素子デバイス６２の光量に他の発光素子デバイス６２…の光量を下げて合わせるようにしてもよい。
【００７８】
（１６）変動補正量は、発光素子毎に設定してもよい。このようにすると、よりきめ細かく適切な発光量制御を実現することができる。
【００７９】
（１７）上記実施形態では、発光素子デバイス上に光量センサと温度センサのみを作り込んだが、図７に示すように、発光素子デバイス６２上に、複数の発光素子６２１とともに、光量センサ６７１，温度センサ６７２、駆動履歴検出記憶部として機能する発光回数カウンタ６７３、検出した光量や温度を記憶しておく記憶部６７４等を備えたいわゆるマイクロデバイスを設けてもよい。
【００８０】
【発明の効果】
以上のように、本発明によると、露光器が備える発光素子の光量が露光器のハウジング内で光量検知部によって検知されるため、検知した光量に応じて各発光素子の発光量を制御することができ、これにより、発光素子の光量が変動してもこれに対応して適切な光量を得て適正な画像形成を行うことができる。
【図面の簡単な説明】
【図１】本発明にかかる画像形成装置の全体概略構成図である。
【図２】本発明にかかる露光器の内部構造を示す平面図である。
【図３】本発明にかかる露光器の内部構造を示す正面断面図である。
【図４】本発明にかかる露光器の内部構造を示す一部断面斜視図である。
【図５】本発明にかかる露光装置の構成を示す機能ブロック図である。
【図６】平滑化処理の処理フローを示す説明図である。
【図７】発光デバイスの他の例を示す平面図である。
【符号の説明】
１　画像形成装置
３　画像形成部
３１　感光体ドラム
６　露光装置
６１　露光器
６２　発光素子デバイス
６２１　発光素子
６２２　光量センサ（光量検知部）
６２３　温度センサ（環境情報検知部）
６３　ハウジング
６４　セルフォックレンズ
６５　遮光体
６６　露光制御手段
６６１　画像データ入力部
６６２　画像データ処理部
６６３　発光素子駆動部
６６４　駆動履歴検出記憶部
６６５　補正量設定処理部
６６６　変動補正量記憶部
６６７　初期補正量記憶部
【図１】
2004042518.tif 000003
【図２】
2004042518.tif 000004
【図３】
2004042518.tif 000005
【図４】
2004042518.tif 000006
【図５】
2004042518.tif 000007
【図６】
2004042518.tif 000008
【図７】
2004042518.tif 000009